(57)【要約】【課題】  擁壁を構成するパネルの前後の位置ズレや傾き、または転倒を防止する盛土構造物の構築方法を提供することである。【解決手段】  盛土構造物の構築方法は、斜面地山２の下部における基礎ブロック３にプレキャストコンクリートパネル４を設置する工程と、該プレキャストコンクリートパネルの貫通孔２２に挿入した中空の緊張ロッド１６でプレキャストコンクリートパネル４を基礎ブロック３に固定する工程と、該中空の緊張ロッド１６によってプレキャストコンクリートパネルの貫通孔２２にグラウト３４を注入して緊張する工程と、プレキャストコンクリートパネル４と斜面地山２との間に盛土材６を投入する工程と、該盛土材６の上面に補強材２２を敷設する工程とからなり、これらの全工程を順次繰り返すことにより所定高さの擁壁５と、盛土材６を多段状に積層した盛土層７とを形成することである。【選択図】図１
2008133682.tif 000002
【特許請求の範囲】
【請求項１】
斜面地山の下部における基礎ブロックにプレキャストコンクリートパネルを設置する工程と、該プレキャストコンクリートパネルの貫通孔に挿入した中空の緊張ロッドでプレキャストコンクリートパネルを基礎ブロックに固定する工程と、該中空の緊張ロッドによってプレキャストコンクリートパネルの貫通孔にグラウトを注入して緊張する工程と、プレキャストコンクリートパネルと斜面地山との間に盛土材を投入する工程と、該盛土材の上面に補強材を敷設する工程とからなり、これらの全工程を順次繰り返すことにより所定高さの擁壁と、盛土材を多段状に積層した盛土層とを形成することを特徴とする盛土構造物の構築方法。
【請求項２】
緊張ロッドの一端部にはプレキャストコンクリートパネルの貫通孔にグラウトを充填するための注入孔が開口されたことを特徴とする請求項１に記載の盛土構造部の構築方法。
【請求項３】
プレキャストコンクリートパネルを２段以上積み重ねた後に、該プレキャストコンクリートパネルの貫通孔に中空の緊張ロッドでグラウトを注入して緊張することを特徴とする請求項１または２に記載の盛土構造部の構築方法。
【発明の詳細な説明】
【技術分野】
【０００１】
本願発明は盛土構造物の構築方法に関するものである。
【背景技術】
【０００２】
従来の盛土構造物としては、例えば特開２００４−２４２１８６号公報の発明が知られている。この盛土構造物は斜面地山の下部における基礎ブロックに壁面パネルが積み重ねられ、この壁面パネルと斜面地山との間に、補強材を介在させて盛土材が多段状に積層されて構成されている。そして、壁面パネルは貫通孔に挿入された連結部材によって上下方向に緊結されて基礎ブロックに固定されている。
【特許文献１】特開２００４−２４２１８６号公報
【発明の開示】
【発明が解決しようとする課題】
【０００３】
しかし、上記の盛土構造物は、貫通孔に挿入された連結部材によって上下方向に緊結されて基礎ブロックに固定された壁面パネルが、連結部材の緊結力の低下などによって前後の位置ズレや傾きを起こしたり、あるいは転倒が発生するという問題があった。
【０００４】
本願発明はこれらの問題に鑑みてなされたものであり、その目的は、擁壁を構成するパネルの前後の位置ズレや傾き、または転倒を防止する盛土構造物の構築方法を提供することである。
【課題を解決するための手段】
【０００５】
以上の課題を解決するための盛土構造物の構築方法は、斜面地山の下部における基礎ブロックにプレキャストコンクリートパネルを設置する工程と、該プレキャストコンクリートパネルの貫通孔に挿入した中空の緊張ロッドでプレキャストコンクリートパネルを基礎ブロックに固定する工程と、該中空の緊張ロッドによってプレキャストコンクリートパネルの貫通孔にグラウトを注入して緊張する工程と、プレキャストコンクリートパネルと斜面地山との間に盛土材を投入する工程と、該盛土材の上面に補強材を敷設する工程とからなり、これらの全工程を順次繰り返すことにより所定高さの擁壁と、盛土材を多段状に積層した盛土層とを形成することを特徴とする。また緊張ロッドの一端部にはプレキャストコンクリートパネルの貫通孔にグラウトを充填するための注入孔が開口されたことを含む。またプレキャストコンクリートパネルを２段以上積み重ねた後に、該プレキャストコンクリートパネルの貫通孔に中空の緊張ロッドでグラウトを注入して緊張することを含むものである。
【発明の効果】
【０００６】
中空の緊張ロッドによって貫通孔にグラウトを注入して緊張することにより、プレキャストコンクリートパネルの前後の位置ズレを防ぐことができる。また上部の締付ナットを締め付けて緊張ロッドを緊張したのでプレキャストコンクリートパネルにプレストレスを十分に付与することができる。またプレキャストコンクリートパネルを積み重ねて形成した擁壁の固定が強固になるので強度が大きくかつ安全な盛土構造物となる。またプレキャストコンクリートパネルを二段以上積み重ねた後に、該プレキャストコンクリートパネルの貫通孔に中空の緊張ロッドでグラウトを注入して緊張することにより、プレキャストコンクリートパネルの積み重ねと固定とが迅速かつ確実に行えるとともに、盛土構造物が効率的に構築できる。
【発明を実施するための最良の形態】
【０００７】
以下、本願発明の盛土構造物の構築方法の実施の形態を図面に基づいて説明する。はじめに盛土構造物について説明し、その後に、この盛土構造物の構築方法の実施の形態について説明するが、各実施の形態において同じ構成は同じ符号を付して説明する。
【０００８】
盛土構造物１は、図１に示すように、斜面地山２の下部における基礎ブロック３にプレキャストコンクリートパネル（以下ＰＣパネルという）４が積み重ねられた擁壁５と、該擁壁５と斜面地山２との間に積層された盛土材６からなる盛土層７と、擁壁５から盛土層７に延びたアンカー材８とから構成されている。
【０００９】
斜面地山２の下部における基礎ブロック３は擁壁５を支持するものであり、現場打ちコンクリートまたはプレキャストコンクリートで形成され、図２に示すように、アンカーボルトなどの定着部材９によって地盤１０に固定されている。この基礎ブロック３には固定用ＰＣ鋼棒１１がプレート１２とナット１３とで固着され、基礎ブロック３の上面から突出された上部には継手用カプラー１５がねじ込まれ、これを介して緊張ロッド１６が接続されている。
【００１０】
この緊張ロッド１６は、図３に示すように、高張力鋼材からなる中空鋼管であり、上下端部に雌ネジ部１７、１８が形成され、上部雌ネジ部１７には締付ナット１９が設置されるとともに、下部雌ネジ部１８には継手用カプラー１５が設置され、該継手用カプラー１５の上側に注入孔２０が開口されている。この緊張ロッド１６は継手用カプラー１５で上下に接続されて一本の引張材２１を形成し、この引張材２１が基礎ブロック３に積み重ねられたＰＣパネル４の貫通孔２２に挿入され、最上段のＰＣパネル４に定着されている。このＰＣパネル４は二段ごとに緊張されてプレストレスが付与されている。すなわち継手用カプラー１５で接続された二本の緊張ロッド１６ごとに所定の緊張力が付与されて定着され、これらが上下に接続されて高張力鋼材としての一本の引張材２１になっている。また、この緊張ロッドの注入孔２０からＰＣパネルの貫通孔２２にグラウト２３が充填されてＰＣパネル４同士を上下に接合して相互の位置ズレを防いでいる。
【００１１】
このＰＣパネル４は軽量コンクリートで形成された縦１ｍ、横２ｍの大きさのものであり、背面の補強リブ２４に緊張ロッドが挿入される貫通孔２２が形成され、この貫通孔２２の上部スペース２５に定着プレート２６が設置され、この定着プレート２６に継手用カプラー１５が定着されている。また上下に重ね合わされたＰＣパネル４はせん断ピン２７で接合され、貫通孔２２に挿入された緊張ロッド１６によってプレストレスが付与されて一体となっている。
【００１２】
また、図４に示すように、ＰＣパネル４の一側面には半円形の嵌合突起２８が、他側面には半円形の嵌合凹溝２９がそれぞれ形成され、この嵌合凹溝２９に、右隣のＰＣパネル４の嵌合突起２８が嵌合されるとともに、嵌合突起２８が左隣のＰＣパネル４の嵌合凹溝２９に嵌合されてＰＣパネル４同士が横方向で接合され、この接合部を中心に回転できるようになっているので、地山の形状に沿った擁壁５、例えば湾曲状のものを形成することもできる。このように複数のＰＣパネル４が上下左右に接合されかつ緊張ロッド１６でプレストレスが付与された擁壁５が形成されている。
【００１３】
またＰＣパネル背面の補強リブ２４には長短二本のアンカー材８が設置され、これが盛土材６に埋設されている。このアンカー材８は補強リブ２４に接続されたアンボンド鋼線３０と、このアンボンド鋼線３０の先端側に設けた支圧板３１とからなっている。
【００１４】
また盛土材６は種々の土質および混合土であり、斜面地山２と擁壁５との間に補強材３２を介在させて投入することにより、多段状に積層された盛土層７となっている。この盛土材６はＰＣパネル４ごとに投入され、その上面が補強材３２である網状のジオテキスタイルで覆われ、ＰＣパネル４からのアンカー材８が埋設されている。
【００１５】
この補強材３２は上記の他に、例えば、鋼材、防錆した金網、合成樹脂や繊維性のシート材や網体などがあり、補強材３２と盛土材６との間に働く摩擦力や付着力によって盛土材６の引張り抵抗を高めて、盛土材６内のクラックの発生を効果的に防ぐとともに、盛土層７全体のせん断強度を大きくしている。
【００１６】
次に、上記の盛土構造物の構築方法について説明する。はじめに、図２に示すように、斜面地山２の下部における地盤１０に埋設孔３３を削孔し、これにグラウト３４を注入してアンカーボルト９を圧入する。そして、このグラウト３４の養生期間中に基礎ブロック３を現場打ちコンクリートまたはプレキャストコンクリートで構築する。そして、この基礎ブロック３のアンカー貫通孔３５にアンカーボルト９を挿入し、このアンカーボルト９を緊張して地盤１０に固定する。また基礎ブロック３の固定用挿入孔３６に固定用ＰＣ鋼棒１１を挿入して上部を上面に突出させる。
【００１７】
次に、この上部に継手用カプラー１５で一本目の緊張ロッド１６を接続するとともに、この緊張ロッド１６に二本目の緊張ロッド１６を接続する。そして基礎ブロック３上にＰＣパネル４を設置して、その貫通孔２２に緊張ロッド１６を挿入する。そして、このＰＣパネル４をせん段ピン２７で基礎ブロック３に接合するとともに、横方向にも他のＰＣパネル４を連続的に接合して１段目のＰＣパネル４を形成する。
【００１８】
次に、上記と同じ方法により、一段目のＰＣパネル４の上に他のＰＣパネル４を設置して二段目のＰＣパネル４を形成する。これら上下のＰＣパネル４は上記と同じせん断ピン２７で接合される。
【００１９】
次に、図７に示すように、これらのＰＣパネル４の貫通孔２２から突出した緊張ロッド１６の上端部にグラウト用圧入ホース３７を接続する。そして、この上端部からグラウト２３を圧入すると、これが緊張ロッド１６の注入口２０から貫通孔２２内に充填される。そして、このグラウト２３が硬化した後に、緊張ロッド１６の上部における締付ナット１９を定着プレート２６に締め付けることにより、所定の緊張力が付与される。このことにより所定のプレストレスが付与された一段目および二段目のＰＣパネル４が基礎ブロック３に固着される。なお、二段目のＰＣパネルの緊張ロッド１６に他の緊張ロッド１６を継ぎ足す場合は、上記締付ナット１９がねじ込まれた上部雌ネジ部１８に継手用カプラー１５をねじ込んで行うものとする。
【００２０】
次に、図２に示すように、一段目および二段目のＰＣパネル背面の補強リブ２４にアンカー材８を接合して、斜面地山２側に配置する。そして、この斜面地山２とＰＣパネル４との間に盛土材６を一段目のＰＣパネル４の上面まで投入する。次に、この盛土材６の上面にジオテキスタイルなどの補強材３２を敷設すると、一段目の盛土材６が形成される。
そして、同じ方法によって、二段目のＰＣパネル４を積み重ねて二段目の盛土材６を形成する。
【００２１】
次に、上記の作業を順次繰り返して、三段目および四段目のＰＣパネル４を積み重ねて、図１に示すような、自立した擁壁５と、盛土材６が積層された盛土層７とからなる盛土構造物１が構築される。
【００２２】
なお、上記の実施の形態においては、ＰＣパネル４を二段積み重ねてから、これらの貫通孔２２に緊張ロッド１６からグラウト２３を注入したが、一段設置した後に貫通孔２２にグラウト２３を注入するようにしても良い。すなわち二段単位でＰＣパネルの貫通孔２２にグラウト２３を注入して緊張ロッド１６を緊張する他、一段単位でＰＣパネルの貫通孔２２にグラウト２３を注入して緊張ロッド１６を緊張するようにしても良い。
【図面の簡単な説明】
【００２３】
【図１】盛土構造物の断面図である。
【図２】盛土構造物の下部の断面図である。
【図３】（１）は緊張ロッドの正面図、（２）は同断面図である。
【図４】盛土構造物の平面方向の断面図である。
【図５】ＰＣパネルを二段に積み重ねた斜視図である。
【図６】盛土構造物の背面方向の断面図である。
【図７】ＰＣパネルの貫通孔にグラウトを充填する断面図である。
【符号の説明】
【００２４】
１  盛土構造物
２  斜面地山
３  基礎ブロック
４  ＰＣパネル
５  擁壁
６  盛土材
７  盛土層
８  アンカー材
９  定着部材
１０  地盤
１１  固定用ＰＣ鋼棒
１２  プレート
１３  ナット
１５  継手用カプラー
１６  緊張ロッド
１７  上部雌ネジ部
１８  下部雌ネジ部
１９  締付ナット
２０  注入口
２１  引張材
２２  貫通孔
２３、３４  グラウト
２４  補強リブ
２５  上部スペース
２６  定着プレート
２７  せん断ピン
２８  嵌合突起
２９  嵌合凹溝
３０  アンボンド鋼線
３１  支圧板
３２  補強材
３３  埋設孔
３５  アンカー貫通孔
３６  固定用挿入孔
３７  グラウト用圧入ホース
【図１】
2008133682.tif 000003
【図２】
2008133682.tif 000004
【図３】
2008133682.tif 000005
【図４】
2008133682.tif 000006
【図５】
2008133682.tif 000007
【図６】
2008133682.tif 000008
【図７】
2008133682.tif 000009